(57)【特許請求の範囲】
【請求項１】
原稿を搬送する搬送ローラと、
前記搬送ローラと対向して配置されると共に前記搬送ローラの方向に付勢されたピンチローラと、
前記搬送ローラと前記ピンチローラによって搬送される前記原稿を支持する原稿台と、
前記原稿台に対向して配置されると共に読取範囲の一部が重複するように千鳥状に配置された複数のラインセンサと、
前記ラインセンサの各々に対して対向配置する白基準板と、
前記白基準板を支持する支持部と、
前記ピンチローラを支持すると共に前記支持部が固定される蓋部と、
前記搬送ローラを支持すると共に前記蓋部を開閉可能に支持し、さらに前記原稿台と前記ラインセンサを収容する台部と、を有する原稿読取装置において、
前記白基準板の前記原稿の搬送方向の前後に配置され、前記原稿を前記原稿台方向に付勢する複数のローラであって、前記読取範囲の重複部分に対応する位置に配置される第１ローラと、前記ラインセンサによる読取データの重複部分でない部分に対応する位置に配置される第２ローラとを有し、前記第１ローラの外周から前記原稿台までの距離が前記第２ローラの外周から前記原稿台までの距離より短いことを特徴とする原稿読取装置。
【請求項２】
前記第１ローラは複数のローラから構成され、前記第２ローラは複数のローラから構成され、前記第１ローラのローラ個数は前記第２ローラのローラ個数より少ないことを特徴とする請求項１に記載の原稿読取装置。
【請求項３】
前記読取範囲の重複部分の延長線上に前記搬送ローラと前記ピンチローラが配置されていることを特徴とする請求項２に記載の原稿読取装置。
【請求項４】
前記ラインセンサは奇数個からなり、前記搬送方向に２列に配置され、前記搬送方向の上流側の列の方が前記搬送方向の下流側の列より前記ラインセンサの数が少ないことを特徴とする請求項１に記載の原稿読取装置。
【請求項５】
前記ローラは夫々独立して回動することを特徴とする請求項２に記載の原稿読取装置。
【請求項６】
請求項１から請求項５の何れか１項に記載の原稿読取装置と、
記録媒体を搬送する搬送手段と、
前記搬送手段によって搬送された前記記録媒体に前記原稿読取装置によって取得した画像データに基づいて画像を記録する記録手段と、
を有することを特徴とする画像形成装置。
【発明の詳細な説明】
【技術分野】
【０００１】
本発明は、原稿読取装置及び画像形成装置に関する。
【背景技術】
【０００２】
従来の原稿読取装置では、原稿の搬送方向に直交する方向にライン状の読取センサが配置され、搬送される原稿を列ごとに走査しながら読取っている。
【０００３】
しかし、読取センサは個々に感度のばらつきがあり、そのまま使用すると読込んだ画像データがそのばらつきに影響を受け、画像が正確に再現できない問題があった。この問題を解決する為に、シェーディング補正によって読取センサの個々の感度ばらつきを補正している。
【０００４】
シェーディング補正する時に白色の基準として白基準板を用いる。この白基準板が、読取センサに対向する位置に配置されている装置がある。白基準板と原稿台との間に隙間があり、その隙間を原稿が通過する。この種の装置では読取センサの位置で原稿を原稿台に押えることができないので、原稿にしわなどがあると原稿と原稿台との間に隙間ができてしまい、読取精度が低下する問題があった。
【０００５】
また、白基準板の代わりに白いローラを用いるものがある。これは、読取センサに対向する位置に白いローラを配置し、この白いローラを白基準板の代わりに用いると共に、原稿を原稿台方向に付勢することで原稿を原稿台に接触させる構成である。これによると、原稿が読取位置で原稿台に押されて接するので、読取精度が向上する。しかし、白いローラは原稿と接するので、汚れの付着や傷付く場合がある。そのため、この白いローラの白色が変化し、白基準が変化してしまう問題があった。
【０００６】
これらの問題に対して、特開平１０−９８５８０号公報に記載の従来技術では、読取センサに対向する位置に、上下可動するように支持された白基準板を設けた技術が開示されている。この従来技術は、さらに白基準板と原稿台の距離が一定となる第１突起があり、白基準板と原稿台の間隔を一定にしている。さらに原稿のばたつきを防止する為に第１突起より低い第２突起を備えている。この第２突起は、搬送ローラ対の間にあり、読取部を遮らない配置である。そして、この第２突起により送られてくる原稿を押える構成である。
【先行技術文献】
【特許文献】
【０００７】
【特許文献１】特開平１０−９８５８０号公報
【発明の概要】
【発明が解決しようとする課題】
【０００８】
しかしながら従来技術では、突起は原稿に対して上下にしか動作せず、また、突起と原稿との間の摩擦抵抗も大きいと考えられる。摩擦抵抗を小さくするために接触面積を小さくすれば、先端が鋭利となり、原稿を傷つけてしまう。また、原稿の皺部分に突起が嵌ってしまう場合があり、このとき突起と原稿との間の摩擦が大きくなり、原稿の搬送が一旦停止してしまうことや、原稿が皺部分にそって蛇行するような搬送異常を生じる場合がある。
【０００９】
また、従来技術は原稿が読取センサによって読取られた後に突起部分が原稿を押える構造である。この構造では、読取センサによる読取位置では、原稿が読取ガラスに押さえつけられていないので、原稿が浮いてしまう場合がある。原稿が浮くと読取精度が低下する問題が生じる。特に、搬送ローラ間の距離が長い場合に、例えば読取センサユニットが原稿の搬送方向に複数列配置されている場合などは搬送ローラ間の距離が長くなり、原稿の浮きの問題が顕著になる。
【００１０】
また、複数の読取センサユニットを搬送方向に対して垂直方向に千鳥状に並べて使用する画像読取装置がある。この種の画像読取装置は、搬送方向に一部重複して読取センサユニットが配置され、隣り合う読取センサユニットの読取ったデータを繋げて一つの画像データとしている。そのため繋ぎ目部分を正確に読取る必要が有る。繋ぎ目部分での原稿の浮きなどがあると読取りが正確に行われず、繋ぎ目部分での画像データに差が生じ、筋状の模様が現れてしまう課題を有している。
【課題を解決するための手段】
【００１１】
このような課題に対して、本願発明は、原稿読取時には白基準板を汚さずに原稿を読取り、さらに読取った画像データの繋ぎ目の位置での原稿の浮きを防止することで繋ぎ目部分での画像データに差が生じない高品質の読取データを取得できる画像読取装置、画像読取方法、画像形成装置を提供する。
【００１２】
本発明の原稿読取装置は、原稿を搬送する搬送ローラと、前記搬送ローラと対向して配置されると共に前記搬送ローラの方向に付勢されたピンチローラと、前記搬送ローラと前記ピンチローラによって搬送される前記原稿を支持する原稿台と、前記原稿台に対向して配置されると共に読取範囲の一部が重複するように千鳥状に配置された複数のラインセンサと、前記ラインセンサの各々に対して対向配置する白基準板と、前記白基準板を支持する支持部と、前記ピンチローラを支持すると共に前記支持部が固定される蓋部と、前記搬送ローラを支持すると共に前記蓋部を開閉可能に支持し、さらに前記原稿台と前記ラインセンサを収容する台部と、を有する原稿読取装置において、前記白基準板の前記原稿の搬送方向の前後に配置され、前記原稿を前記原稿台方向に付勢する複数のローラであって、前記読取範囲の重複部分に対応する位置に配置される第１ローラと、前記ラインセンサによる読取データの重複部分でない部分に対応する位置に配置される第２ローラとを有し、前記第１ローラの外周から前記原稿台までの距離が前記第２ローラの外周から前記原稿台までの距離より短いことを特徴とする。
【００１３】
本発明の画像形成装置は、上述の原稿読取装置と、記録媒体を搬送する搬送手段と、前記搬送手段によって搬送された前記記録媒体に前記原稿読取装置によって取得した画像データに基づいて画像を記録する記録手段と、を有することを特徴とする。
【発明の効果】
【００１５】
本願発明によれば、白基準板は汚れず、読取データの繋ぎ目の読取位置において原稿の浮き上がりを防止できる。繋ぎ目部分での画像データに差が生じない高品質の読取データを取得できる。
【図面の簡単な説明】
【００１６】
【図１】図１は、本発明の白基準板ユニットの白基準板方向からの斜視図である。
【図２】図２は、本発明の白基準板ユニットの側面図である。
【図３】図３は、本発明の画像形成装置の全体の概略図である。
【図４】図４は、本発明の画像読取ユニットの概略図である。
【図５】図５は、本発明の画像読取ユニットの蓋部分の断面である。
【図６】図６は、本発明の画像読取りユニットの蓋部の底面図である。
【図７】図７は、本発明の画像形成装置のブロック図である。
【図８】図８は、本発明のシェーディング補正手順の例を示すフローチャートである。
【図９】図９（Ａ）は、第１押えローラの概略図である。図９（Ｂ）は第２押えローラの概略図である。
【発明を実施するための形態】
【００１７】
図面を用いて、本発明の実施形態を説明する。
図１は、本発明の白基準板ユニットの白基準板方向からの斜視図である。白基準板ユニット１は、白基準板２、押えローラ支持部３、第１押えローラ４、第２押えローラ５、遮光部６、ローラ軸７を有する。
【００１８】
白基準板ユニット１は、金属製の板の両端を曲げローラ支持部３を構成している。また、この金属製の板の平坦部に白基準板２を構成している。ローラ支持部３はローラ軸７を支持している。白基準板２の両側に複数の第１押えローラ４と第２押えローラ５とが回動可能にローラ軸７に取り付けられている。隙間から漏れる光を遮る為に、金属製の板の先端を凸状にし、曲げ、遮光部６を形成している。遮光部６は、第１押えローラ４、第２押えローラ５の間に入るように構成されている。また遮光部６は、搬送される原稿の端が第１押えローラ４、第２押えローラ５に引っかからないようにする効果もある。
【００１９】
白基準板２の部分は、シェーディング補正の白基準となる。白基準板２は表面が白色であり、塗料を塗って構成しても、白基準のフィルムを貼り付けてもよい。
【００２０】
第１押えローラ４、第２押えローラ５がローラ軸７の軸方向に移動可能に多少隙間を設けても良い。また、第１押えローラ４、第２押えローラ５は夫々独立に回動するのが好ましいが、一つのローラで構成しても、一つのローラであるかのように連動して回動する機構を設けてもよい。第１押えローラ４は第２押えローラ５より大きいサイズに形成している。
【００２１】
図２は、本発明の白基準板ユニットの側面図である。押えローラ支持部３には第１軸孔９と第２軸孔１０が形成されている。この第１軸孔９と第２軸孔１０にローラ軸７を通し、系止部材８によってローラ軸７を系止している。第１軸孔９は円形の貫通孔である。第２軸孔１０は略四角形状の貫通孔である。四角形の角の部分を弧状に形成している。第１軸孔９に通されているローラ軸７の移動方向と第２軸孔１０に通されているローラ軸７の移動方向が異なるようにしている。これは、製造上のばらつきによって、第１軸孔９と第２軸孔１０が予め決められた位置に全く同じ形状に形成できなくとも、第１軸孔９と第２軸孔１０を異形にすることで、このような孔の形成による問題が発生しても相互に軸の移動の自由度を向上させることができる。よって、白基準板２を正確に上下動させることができる。
【００２２】
また、第１押えローラ４は第２押えローラ５より大きいサイズに形成している。第１押えローラ４の外周の輪郭によって第２押えローラ５の外周の輪郭が隠れる。
【００２３】
図３は、本発明の画像形成装置の全体の概略図である。画像形成装置２０は、画像読取ユニット１１と記録部１２を備える。画像読取ユニット１１は、台部１４と蓋部１３に分かれ、台部１４に開閉可能に蓋部１３が支持されている。台部１４には、原稿１７を搬送する搬送ローラ１６が備えられている。搬送ローラ１６は原稿１７を挿入する付近と、排出する付近に配置さされている。搬送ローラ１６に対になるピンチローラ１５が蓋部１３に支持されている。搬送ローラ１６は回転駆動し、ピンチローラ１５は搬送ローラ１６にあわせて回動可能に付勢される。そのため、搬送ローラ１６が回動すると、ピンチローラ１５はそれに合わせて連れ回る。原稿１７は搬送ローラ１６とピンチローラ１５に挟まれて搬送される。
【００２４】
台部１４には、原稿１７を支持する原稿台１８が備わっている。原稿台１８の表面が搬送ローラ１６の外周の頂点と、同じ高さに配置されている。原稿台１８は透明で扁平なガラス板である。原稿台１８の上を原稿１７が通る。原稿台１８の原稿１７の搬送面でない側の面に接するようにラインセンサ１９が配置されている。ラインセンサ１９は原稿の挿入方向に２本、排出方向に３本、千鳥状に配置されている。夫々のラインセンサ１９は原稿１７を読込取る際に読取部分の一部が重複するように、配置されている。蓋部１３には白基準板ユニット１が配置されている。白基準板ユニット１は各ラインセンサ１９に対向する位置に配置されている。
【００２５】
記録部１２は使用する記録媒体２２を格納している。記録媒体２２は、紙やプラスチックフィルムなどをロール状に巻きまわしたものである。記録媒体搬送ローラ２３を有する搬送手段によって、記録媒体２２は搬送される。記録手段２１によって搬送された記録媒体２２に画像を記録する。記録する画像は、画像読取ユニット１１で読取った画像データに基づいて記録することもできる。また外部に配置されたコンピュータから画像データを受信してその画像データに基づいて記録媒体に画像を記録することもできる。
【００２６】
図４は、本発明の画像読取ユニットの概略図である。画像読取ユニット１１は台部１４と蓋部１３を備える。台部１４にはモータ２６が設けられ、プーリ２４に掛け回されているベルト２５を回転させる。プーリ２４の中心には軸があり、その軸に搬送ローラ１６が取り付けられている。プーリ２４が回転すると軸が回転し、さらに搬送ローラ１６が回転する。原稿台１８を挟むようにして、原稿１７の搬送方向に垂直方向に搬送ローラ１６が備わっている。これらの搬送ローラ１６は連動して回転し、蓋部１３に備わっているピンチローラ１５と共に、原稿１７を挟んで搬送する。搬送ローラ１６は原稿台１８の長手方向に沿って平行に複数配置され、様々幅の原稿を搬送できるようにしている。
【００２７】
台部１４には、第１原稿位置検出センサ２８が原稿台１８の長手方向に沿って複数配置され、第２原稿位置検出センサ２７が原稿台１８を挟むように複数配置されている。第２原稿位置検出センサ２７は、搬送された原稿１７が原稿台１８の手前まで到達しているか否か、および原稿台１８の下流まで到達しているか否かを検出するものである。複数の第１原稿位置検出センサ２８によって、原稿の幅が検出される。第２原稿位置検出センサ２７は原稿台１８のほぼ中央に配置されている。第２原稿位置検出センサ２７を原稿１７の挿入側と排出側に配置することと原稿１７の中央と原稿台１８の中央を合わせて挿入することで、原稿台１８に対する原稿１７の位置を検出することができる。様々の幅の原稿に対応できるようにしている。
【００２８】
搬送ローラ１６の周囲は原稿台１８より低くし、搬送ローラ１６の外周の頂点を露出させている。これは搬送ローラ１６が原稿１７を十分に保持できるようにするためである。
【００２９】
ラインセンサ１９は原稿台１８の下面に千鳥状に配置されている。白基準板ユニット１は各ラインセンサ１９に各白基準板２が対向するように蓋部１３に配置してある。ラインセンサ１９が複数列、ここでは２列に配置されるので、搬送ローラ１６間の距離が長くなる。原稿１７が原稿台１８から浮かずに搬送するために、特にラインセンサ１９上で原稿１７が浮かずに搬送するために、ラインセンサ１９の搬送方向前後を第１押えローラ４、第２押えローラ５によって押さえている。第１押えローラ４と第２押えローラ５は、白基準板２等の自重で押えている。またバネなどで付勢しても良い。好ましくはラインセンサ１９の長手方向の全長に沿って第１押えローラ４、第２押えローラ５を配置する。そうすることで、原稿１７の浮き防止になる。
【００３０】
ラインセンサ１９は千鳥状に配置されているので、ラインセンサ１９同士が重複して読取る重複範囲３５がある。重複範囲３５は一点鎖線間の範囲である。この重複範囲３５の延長線上に搬送ローラ１６が配置されている。
【００３１】
また、ラインセンサ１９は原稿１７の搬送方向の上流側に２個、下流側に３個配置されている。原稿１７を挿入すると、第１押えローラ４と第２押えローラ５に接触するが、その時に最初に接触する時の負荷を軽減するためである。
【００３２】
図５は、本発明の画像読取ユニットの蓋部分の断面である。蓋部１３は、内部にフレーム２９を有し、そのフレーム２９に第１腕部３０が接続され、その先端に原稿排出側のピンチローラ１５が支持されている。フレーム２９に第２腕部３１が接続され、その先端に原稿挿入側のピンチローラ１５が支持されている。フレーム２９に白基準板ユニット支持部３２が接続されている。白基準板ユニット支持部３２は白基準板ユニット１のローラ軸７を支持している。第１軸孔９と第２軸孔１０にローラ軸７が通されているので、白基準板２、遮光部６および押えローラ支持部３が第１軸孔９と第２軸孔１０の孔の範囲で移動可能に担持されている。蓋部１３の底部には原稿押え板３３が配置されている。原稿押え板３３にはピンチローラ１５及び白基準板ユニット１を、原稿押え板３３から突出させる為の貫通孔が設けられている。ピンチローラ１５と搬送ローラ１６を対向し接触することができる。白基準板ユニット１の第１押えローラ４、第２押えローラ５と白基準板２を原稿台１８に対向させる。原稿押え板３３には、白基準板ユニット１の遮光部６に対になって遮光片３４が設けられている。遮光片３４も遮光部６と同様に第１押えローラ４、第２押えローラ５の間に配置されている。遮光片３４も遮光部６と同様に、曲げることで搬送されてくる原稿１７が引っ掛からないようにしている。
【００３３】
第１押えローラ４の外周が原稿台１８に当接しても、第２押えローラ５と白基準板２が原稿台１８に当接しないように、第１軸孔９及び第２軸孔１０の開口部のサイズと位置および第１押えローラ４、第２押えローラ５のサイズが決められている。
【００３４】
図６は、本発明の画像読取りユニットの蓋部の底面図である。蓋部１３の底部には原稿押え板３３が配置してある。原稿押え板３３には開口部があり、そこから白基準板ユニット１が５つ突出している。白基準板ユニット１はラインセンサ１９に対向して千鳥状に配置されている。白基準板ユニット１は、重複範囲３５の範囲内に第１押えローラ４が配置され、重複範囲３５の範囲外に第２押えローラ５が配置されている。重複範囲３５の範囲内には搬送ローラ１６に対応するピンチローラ１５が配置されている。また最外側に配置されている白基準板ユニット１は、重複範囲３５ではないが、ラインセンサ１９の端部に相当する部分には、第１押えローラ４が配置されている。
【００３５】
重複範囲３５内では、原稿１７は第１押えローラ４に４回接触する。そのため他の部分に比べ搬送負荷が大きくなる。そのために原稿１７のよれが発生しやすくなる。原稿１７に搬送異常がある状態でラインセンサ１９が原稿１７を読取ると、２本のラインセンサ１９で異なる画像データとなってしまう。画像データを繋ぎ合わせた時にズレが生じてしまう。そこで、重複範囲３５の延長線上に搬送ローラ１６およびピンチローラ１５を配置してラインセンサ１９の前後でしっかりと原稿１７を押える。さらに、第１押えローラ４によって、原稿１７を原稿台１８に押し付ける。第２押えローラ５より第１押えローラ４の方が大きいので、白基準板２等の自重は主に第１押えローラ４にかかる。そのため、原稿１７が大きく撓んでいない限り、原稿１７は主に第１押えローラ４によって押えられる。そして、大きく凸状に撓んだ部分を第２押えローラ５が押える構成である。また最外側のラインセンサ１９の端部に相当する位置も原稿１７が浮き上がらないように第１押えローラ４を配置してある。
【００３６】
第１押えローラ４は第２押えローラ５より少ない個数で構成している。これは、より第１押えローラ４に多くの自重をかけるためである。硬い原稿に対して重複範囲３５においてより多くの負荷をかけることができるので、画像データの接続部分での原稿１７の撓みをより多く防止できる。
【００３７】
図７は本発明の画像形成装置のブロック図である。ＲＯＭ３７には、画像形成装置２０の全体の動作を制御するプログラムや初期設定値などのデータが記憶されている。制御回路３６はＲＯＭ３７に記憶されているプログラムに従って、比較、演算、制御等の処理をする制御回路であり、例えばＣＰＵを含んでいる。ＲＡＭ３８は各種データの一時記憶や制御回路３６の演算等で使用されるワークエリアで使用するメモリである。搬送手段３９は、モータ２６、ベルト２５、プーリ２４、搬送ローラ１６、ピンチローラ１５を有し、原稿１７を搬送する手段である。搬送手段３９は制御回路３６の制御によって動作する。ラインセンサ１９は制御回路３６の制御によって原稿１７を読取るセンサである。第１原稿位置検出センサ２８は制御回路３６によって制御され、搬送された原稿１７の幅を検出するセンサである。第２原稿位置検出センサ２７は制御回路３６によって制御され、原稿台１８に原稿１７が有るか無かを検出するセンサである。
【００３８】
記録媒体搬送手段４０は、画像形成装置２０内に格納されている記録媒体２２を記録手段２１に搬送し、記録手段２１で画像を記録した後に画像形成装置２０外に記録媒体２２を排出する。記録媒体搬送ローラ２３を駆動して記録媒体２２を搬送する。記録媒体搬送手段４０は制御回路３６の制御によって動作する。記録手段２１は記録媒体２２に画像を記録する。記録手段２１は制御回路３６の制御によって動作する。
【００３９】
次に本発明のシェーディング補正の動作について説明する。図８は、本発明のシェーディング補正手順の例を示すフローチャートである。
【００４０】
この処理に先立って、原稿台１８に白基準板２と同様の白基準板を載置させ、第１白基準値として読取り、その値をＲＡＭ３８に記憶させておく。さらに、白基準板２を読取り第２白基準値としてＲＡＭ３８に記憶させておく。好ましくは、第１白基準値と第２白基準値との差を演算し、その値をあらかじめＲＡＭ３８に記憶させておく。
【００４１】
先ず処理が開始される（ステップＳ１）。蓋部１３が台部１４に対して開いているか閉じているかを不図示の開閉センサの出力によって判断する。蓋部１３があいている場合は処理がされない。蓋部１３が閉じているとステップＳ３に進む（ステップＳ２）。
【００４２】
次に、原稿１７が原稿台１８上に有るか無いかを判断する。第１原稿位置検出センサ２８の出力に基づいて、原稿１７の幅を演算する。第１原稿位置検出センサ２８の出力の有無によって、どの範囲まで原稿１７があるか判断し、原稿１７の幅を推定する演算を行う。原稿台１８の中央の両外側にある第２原稿位置検出センサ２７が共に原稿１７を検出している出力があれば、原稿台１８上に原稿１７があると判断する。どちらか一方でも出力がないと原稿１７が原稿台１８上に無いと判断する。原稿１７が原稿台１８に無ければステップＳ４に進む。あればステップＳ９に進む（ステップＳ３）。
【００４３】
ステップＳ９では、搬送ローラ１６を駆動して原稿１７を排出する。
ステップＳ４では、白基準板２を読取り、第３白基準値としてＲＡＭ３８に記憶する。
次に黒基準値を読取りＲＡＭ３８に記憶する（ステップＳ５）。黒基準値は、ラインセンサ１９の照明を消した状態でラインセンサ１９を読取った値である。
【００４４】
次に第１補正処理として、第３白基準値に、第１白基準値と第２白基準値の差を加えた第４白基準値を演算する。このとき、第１白基準値と第２白基準値あるいは差の値はＲＡＭ３８に予め記憶されているものを使う（ステップＳ６）。
【００４５】
次に第２補正処理として、第４白基準値を使用してラインセンサ１９のシェーディング補正処理をする（ステップＳ７）。
第４白基準値を使用してシェーディング補正処理が終了したら処理は終了である（ステップＳ８）。シェーディング補正をした後、原稿１７を搬送し、画像データを読取る。
【００４６】
次に押えローラの形状の説明をする。図９（Ａ）は、第１押えローラの概略図である。図９（Ｂ）は第２押えローラの概略図である。第１押えローラ４は外周の一部に扁平部４１を備える。第１押えローラ４は原稿１７との接触面積を大きくするために外周部の一部を平らに構成した。第１押えローラ４は読取った画像データの繋ぎ目部分に対応する部分の原稿１７を原稿台３に押し付ける。原稿１７と第１押えローラ４とが点接触するのではなく接触面積が大きい方が好ましい。一方、第２押えローラ５は、原稿１７の浮きを押さえるだけなので、なるべく接触による搬送の負荷を減らしたいので、なるべく点接触のほうが好ましい。そのため、第２押えローラ５の外周の先端４２は湾曲させて半円状に形成している。
【産業上の利用可能性】
【００４７】
本発明は、原稿を搬送させ、その原稿を読取る読取装置、その読取装置を具備した画像形成装置に適用できる。
【符号の説明】
【００４８】
１  白基準板ユニット
２  白基準板
３  押えローラ支持部
４  第１押えローラ
５  第２押えローラ
６  遮光部
７  ローラ軸
８  系止部材
９  第１軸孔
１０  第２軸孔
１１  読取部
１２  記録部
１３  蓋部
１４  台部
１５  ピンチローラ
１６  搬送ローラ
１７  原稿
１８  原稿台
１９  ラインセンサ
２０  画像形成装置
２１  記録手段
２２  記録媒体
２３  記録媒体搬送ローラ
２４  プーリ
２５  ベルト
２６  モータ
２７  第２原稿位置検出センサ
２８  第１原稿位置検出センサ
２９  フレーム
３０  第１腕部
３１  第２腕部
３２  白基準板ユニット支持部
３３  原稿押え板
３４  遮光片
３５  重複範囲
【図１】
0005546365.tif 000002
【図２】
0005546365.tif 000003
【図３】
0005546365.tif 000004
【図４】
0005546365.tif 000005
【図５】
0005546365.tif 000006
【図６】
0005546365.tif 000007
【図７】
0005546365.tif 000008
【図８】
0005546365.tif 000009
【図９】
0005546365.tif 000010